(57)【要約】【課題】ポンプを修理等している間であっても冷却液を循環させ続けることができる冷却システムを提供する。【解決手段】ポンプ１０ａ、１０ｃを迂回させて熱媒体を集熱器２ａに循環させる場合とポンプ１０ａ、１０ｃを経由して熱媒体を集熱器２ａに循環させる場合とを切り替える補修用バルブ２０ａ、２０ｃを設ける。これにより、補修用バルブ２０ａ、２０ｃにて熱媒体回路を切り替えることにより、ポンプ１０ａ、１０ｃを冷却用の主熱媒体回路から切り離すことができるので、ポンプ１０ａ又はポンプ１０ｃを修理等している間であっても熱媒体を循環させ続けることができ、冷却システムの信頼性を高めることができる。【選択図】        図１
2004205160.tif 000002
【特許請求の範囲】
【請求項１】
閉じられた空間（１）内に存在する発熱体（２）を冷却する冷却システムであって、
前記発熱体（２）と冷却液とを熱交換させて前記発熱体を冷却する熱交換器（２ａ）と、
前記冷却液を循環させるポンプ手段（１０ａ、１０ｃ）と、
前記ポンプ手段（１０ａ、１０ｃ）を迂回させて前記冷却液を前記熱交換器（２ａ）に循環させる場合と前記ポンプ手段（１０ａ、１０ｃ）を経由して前記冷却液を前記熱交換器（２ａ）に循環させる場合とを切り替える切替手段（２０ａ、２０ｃ）とを備えることを特徴とする発熱体の冷却システム。
【請求項２】
前記ポンプ手段（１０ａ、１０ｃ）は、前記冷却液の循環回路に対して直列に少なくとも２台設けられており、
さらに、前記切替手段（２０ａ、２０ｃ）は、前記ポンプ手段（１０ａ、１０ｃ）毎にそれぞれ設けられていることを特徴とする請求項１に記載の発熱体の冷却システム。
【請求項３】
前記切替手段（２０ａ、２０ｃ）は、手動式の流路切替バルブであることを特徴とする請求項１又は２に記載の発熱体の冷却システム。
【請求項４】
閉じられた空間（１）内に存在する発熱体（２）を冷却する冷却システムであって、
前記発熱体（２）と冷却液とを熱交換させて前記発熱体を冷却する熱交換器（２ａ）と、
前記発熱体（２）にて加熱された冷却液を冷却する第１、２冷却手段（８ａ、８ｂ）と、
前記冷却液を前記第１冷却手段（８ａ）に循環させる第１ポンプ手段（１０ｃ）と、
前記冷却液を前記第２冷却手段（８ｂ）に循環させる第２ポンプ手段（１０ｄ）と、
前記冷却液を前記第１冷却手段（８ａ）に循環させる場合と前記第２冷却手段（８ｂ）に循環させる場合とを切り替える切替手段（２０ａ、２０ｂ）とを備えることを特徴とする冷却システム。
【請求項５】
前記空間（１）には、前記空間（１）内の空気により冷却されるの第２の発熱体（３）が存在しており、
さらに、前記空間（１）内の空気は、前記熱交換器（２ａ）を介して前記発熱体（２）から吸熱した熱により稼働する冷凍機（４）により冷却されることを特徴とする請求項１ないし４のいずれか１つに記載の発熱体の冷却システム。
【請求項６】
前記冷凍機（４）は、蒸発した気相冷媒を吸着するとともに、加熱されることによりその吸着していた冷媒を脱離する吸着剤を有して構成された吸着式冷凍機であることを特徴とする請求項５に記載の発熱体の冷却システム。
【請求項７】
前記冷凍機（４）が故障したときに、前記空間（１）内外を連通させて前記空間（１）内を換気する換気手段（２１）を備えることを特徴とする請求項５又は６に記載の発熱体の冷却システム。
【発明の詳細な説明】
【０００１】
【発明の属する技術分野】
本発明は、閉じられた空間内に配置された発熱体の冷却システムに関するもので、例えば携帯電話基地局内の電子機器、電気機器、電気変換器、バッテリ等の冷却に用いて有効である。
【０００２】
【従来の技術】
従来の冷却システムは、携帯電話基地局内に設置された電気機器等の発熱体から廃熱を回収した冷却水をポンプにて循環させて吸着式冷凍機に供給し、吸着式冷凍機にて生成された冷熱にてその他の発熱体を冷却している（例えば、特許文献１参照）。
【０００３】
【特許文献１】
特開２００２−１００８９１号公報
【０００４】
【発明が解決しようとする課題】
しかし、特許文献１に記載の発明では、その構造上、ポンプが故障した際には、冷却水の循環を停止させた状態でポンプを修理又は交換する必要があるので、ポンプを修理等している間は、発熱体を冷却することができないという問題を有している。
【０００５】
本発明は、上記点に鑑み、第１には、従来と異なる新規な冷却システムを提供し、第２には、ポンプを修理等している間であっても冷却液を循環させ続けることができる冷却システムを提供することを目的とする。
【０００６】
【課題を解決するための手段】
本発明は、上記目的を達成するために、請求項１に記載の発明では、閉じられた空間（１）内に存在する発熱体（２）を冷却する冷却システムであって、発熱体（２）と冷却液とを熱交換させて発熱体を冷却する熱交換器（２ａ）と、冷却液を循環させるポンプ手段（１０ａ、１０ｃ）と、ポンプ手段（１０ａ、１０ｃ）を迂回させて冷却液を熱交換器（２ａ）に循環させる場合とポンプ手段（１０ａ、１０ｃ）を経由して冷却液を熱交換器（２ａ）に循環させる場合とを切り替える切替手段（２０ａ、２０ｃ）とを備えることを特徴とする。
【０００７】
これにより、ポンプ手段（１０ａ、１０ｃ）を冷却用の主冷却液回路から切り離すことができるので、ポンプ手段（１０ａ、１０ｃ）を修理等している間であっても熱媒体を循環させ続けることができ、冷却システムの信頼性を高めることができる。
【０００８】
請求項２に記載の発明では、ポンプ手段（１０ａ、１０ｃ）は、冷却液の循環回路に対して直列に少なくとも２台設けられており、さらに、切替手段（２０ａ、２０ｃ）は、ポンプ手段（１０ａ、１０ｃ）毎にそれぞれ設けられていることを特徴とする。
【０００９】
これにより、いずれかのポンプが故障しても冷却液を循環させ続けることができるので、冷却システムの信頼性をより一層高めることができる。
【００１０】
請求項３に記載の発明では、切替手段（２０ａ、２０ｃ）は、手動式の流路切替バルブであることを特徴とするものである。
【００１１】
請求項４に記載の発明では、閉じられた空間（１）内に存在する発熱体（２）を冷却する冷却システムであって、発熱体（２）と冷却液とを熱交換させて発熱体を冷却する熱交換器（２ａ）と、発熱体（２）にて加熱された冷却液を冷却する第１、２冷却手段（８ａ、８ｂ）と、冷却液を第１冷却手段（８ａ）に循環させる第１ポンプ手段（１０ｃ）と、冷却液を第２冷却手段（８ｂ）に循環させる第２ポンプ手段（１０ｄ）と、冷却液を第１冷却手段（８ａ）に循環させる場合と第２冷却手段（８ｂ）に循環させる場合とを切り替える切替手段（２０ａ、２０ｂ）とを備えることを特徴とする。
【００１２】
これにより、例えば第１ポンプ手段（１０ｃ）が故障したときには、第２ポンプ手段（１０ｄ）にて冷却液を循環させれば、ポンプを修理等している間であっても熱媒体を循環させ続けることができる。
【００１３】
請求項５に記載の発明では、空間（１）には、空間（１）内の空気により冷却されるの第２の発熱体（３）が存在しており、さらに、空間（１）内の空気は、熱交換器（２ａ）を介して発熱体（２）から吸熱した熱により稼働する冷凍機（４）により冷却されることを特徴とするものである。
【００１４】
請求項６に記載の発明では、冷凍機（４）は、蒸発した気相冷媒を吸着するとともに、加熱されることによりその吸着していた冷媒を脱離する吸着剤を有して構成された吸着式冷凍機であることを特徴とするものである。
【００１５】
請求項７に記載の発明では、冷凍機（４）が故障したときに、空間（１）内外を連通させて空間（１）内を換気する換気手段（２１）を備えることを特徴とする。
【００１６】
これにより、空間（１）内の温度が過度に上昇してしまうことを抑制できるので、冷却システムの信頼性を向上させることができる。
【００１７】
因みに、上記各手段の括弧内の符号は、後述する実施形態に記載の具体的手段との対応関係を示す一例である。
【００１８】
【発明の実施の形態】
（第１実施形態）
図１は本実施形態に係る冷却システムを示す模式図であり、本実施形態は、本発明に係る発熱体の冷却システムを携帯電話基地局１内の電子機器の冷却に適用したものである。
【００１９】
比較的に高い断熱性を有して密閉空間を構成する携帯電話基地局１内には、比較的発熱量が多く、かつ、高温となる電波出力用アンプ、電波出力制御盤、整流器、電子機器、電気機器及び電気変換器等からなる第１発熱体２、に第１発熱体２より低温で冷却する必要がある回路制御盤、バッテリ、電子機器、電気機器及び電気変換器等からなる第２発熱体３が搭載された通信機器ラック、並びに両発熱体２、３を冷却する冷凍機４（一転鎖線で囲まれた部分）とが収納されている。
【００２０】
なお、両発熱体２、３は単独で（独立して）稼動するものではなく、両者２、３が連動して稼動するものである。
【００２１】
また、第１発熱体２は、第２発熱体３に比べて高い耐熱温度を有するものであり、第１発熱体２は冷却水が循環させられて水冷にて冷却される。一方、第２発熱体３は、電子機器又は電気機器の実装密度が高く、冷却水を循環させることが難しいため、携帯電話基地局１内の空気、つまり内気が吹き付けられることにより強制空冷される。
【００２２】
また、冷凍機４は、第１発熱体２から吸熱し、その吸熱した熱により吸着剤を加熱することにより稼働する吸着式冷凍機であり、以下、冷凍機４について述べる。
【００２３】
吸着器５は内部が略真空に保たれた状態で冷媒が封入された容器であり、この吸着器５内には、吸着剤と熱媒体とを熱交換する第１熱交換器（吸着コア）６と、熱媒体と吸着器５内に封入された冷媒とを熱交換する第２熱交換器（蒸発／凝縮コア）７とが収納されている。
【００２４】
なお、本実施形態では、複数個（２個）の吸着器５ａ、５ｂから構成されており、紙面右側の吸着器５ａ（以下、第１吸着器５ａと呼ぶ。）と紙面左側の吸着器５ｂ（以下、第２吸着器５ｂと呼ぶ。）とは、同じ構成であるので、両者を総称して呼ぶときは、吸着器５と表記する。
【００２５】
また、熱交換器６、７の添え字ａは第１吸着器５ａ内の熱交換器であることを示し、熱交換器６、７の添え字ｂは第２吸着器５ｂ内の熱交換器であることを示す。
【００２６】
因みに、吸着剤は、冷媒（本実施形態では、水）を吸着するとともに、加熱されることにより吸着していた冷媒を脱離するもので、本実施形態では、シリカゲルやゼオライト等の固体吸着剤を採用し、熱媒体として、本実施形態では、エチレングリコール系の不凍液が混入された水を採用している。
【００２７】
室外器８は基地局１の建物外に配設されて熱媒体と放熱対象をなす室外空気とを熱交換する室外熱交換器であり、この室外器８は、放熱器８ａ及び冷却風を送風するファン８ｃからなるものである。
【００２８】
集熱器２ａは第１発熱体２で発生する熱を集めてその集めた熱と熱媒体と熱交換させる熱交換器であり、室内熱交換器３ａは、吸着器５で冷却された熱媒体と第２発熱体３に吹き付けられる空気とを熱交換させる熱交換器である。なお、ファン３ｂは室内熱交換器３ａに冷却用の室内空気を送風する送風機である。
【００２９】
また、バルブ９ａ〜９ｄは熱媒体流れを切り替えるロータリ式の弁であり、ポンプ１０ａ〜１０ｃは熱媒体を循環させるポンプ手段である。バイパス回路１６は集熱器２ａにて加熱された熱媒体をバルブ９ａ〜９ｄを迂回して直接に室外器８に導く回路であり、バルブ１４ａ〜１４ｄはバイパス回路１６に熱媒体を循環させる場合と循環させない場合とを切替制御する三方バルブであり、リザーブタンク１５は熱媒体補給用の補給手段である。
【００３０】
補修用バルブ２０ａ、２０ｃは、ポンプ１０ａ〜１０ｃのうちバイパス回路１６に熱媒体を循環させる際に稼動するポンプ１０ａ、１０ｃを迂回させて熱媒体を集熱器２ａに循環させる場合とポンプ１０ａ、１０ｃを経由して熱媒体を集熱器２ａに循環させる場合とを切り替える切替手段をなすものである。
【００３１】
また、換気扇２１は、携帯電話基地局１内外を連通させて携帯電話基地局１内を換気するもので、換気口２１ａは換気扇２１が稼動したときに連動して開くようになっている。
【００３２】
次に、本実施形態に係る冷却システムの特徴的作動及びその効果を述べる。
【００３３】
１．冷凍機４の基本作動モード
このモードは、以下に述べる第１、２基本作動モードを所定時間毎に切換運転するものである。因みに、所定時間は、吸着剤に吸着されていた冷媒を脱離させるに必要な時間に基づいて適宜選定されるものである。
【００３４】
なお、本実施形態では、集熱器２ａには第１発熱体２の温度が１５０℃以下となるように熱媒体が供給されており、第２発熱体３は外気温度（５５℃〜６０℃）以下程度となるように冷却され、冷凍機４は７０℃以上、１００℃以下で所定の冷凍能力が発揮するように各種諸元が決定されている。
【００３５】
また、以下の作動説明からも明らかなように、冷凍機４を安定稼動させるためには、第２発熱体３の発熱量が常に第１発熱体２の発熱量以下となる必要がある。
【００３６】
１．１  第１基本作動モード（図２参照）
このモードでは、室内熱交換器３ａと第２吸着器５ｂの第２熱交換器７ｂとの間で熱媒体を循環させることにより、第２吸着器５ｂ内の冷媒を蒸発させて熱媒体を冷却し、室内熱交換器３ａに冷却された熱媒体を供給することによって第２発熱体３に吹き付けられる空気を冷却して第２発熱体３を冷却するとともに、第２吸着器５ｂ内で蒸発した気相冷媒（水蒸気）を第２吸着器５ｂ内の吸着剤にて吸着する。
【００３７】
このとき、吸着剤は凝縮熱に相当する熱量を発熱し、かつ、吸着剤の温度が上昇すると吸着能力が低下するので、室外器８にて冷却された熱媒体を第２吸着器５ｂの第１熱交換器６ｂに供給することにより吸着剤を冷却する。
【００３８】
一方、第１吸着器５ａの第１熱交換器６ａには、集熱器２ａにて熱媒体に吸熱された熱を、熱媒体を介して第１吸着器５ａの吸着剤に供給することより吸着剤を加熱し、吸着剤に吸着していた冷媒を脱離させるとともに、第１吸着器５ａの第２熱交換器７ａに室外器８にて冷却された熱媒体を供給し、その脱離した気相冷媒（水蒸気）を第２熱交換器７ａにて冷却して凝縮させる。
【００３９】
以下、冷媒を蒸発させて冷凍能力を発揮しつつ、その蒸発した気相冷媒を吸着剤にて吸着させている状態にある吸着器５のことを、「吸着工程にある吸着器５」と呼び、吸着剤を加熱して吸着していた冷媒を脱離させつつ、その脱離した冷媒を冷却凝縮させている状態にある吸着器５のことを、「脱離工程にある吸着器５」と呼ぶ。
【００４０】
１．２  第２基本作動モード（図３参照）
このモードは、第１基本作動モードとは逆に、第１吸着器５ａを吸着工程とし、第２吸着器５ｂを脱離工程とするものである。
【００４１】
具体的には、室内熱交換器３ａと第１吸着器５ａの第２熱交換器７ａとの間で熱媒体を循環させることにより、第１吸着器５ａ内の冷媒を蒸発させて熱媒体を冷却し、室内熱交換器３ａに冷却された熱媒体を供給することによって第２発熱体３に吹き付けられる空気を冷却して第２発熱体３を冷却するとともに、第１吸着器５ａ内で蒸発した気相冷媒（水蒸気）を第１吸着器５ａ内の吸着剤にて吸着する。
【００４２】
このとき、室外器８にて冷却された熱媒体を第１吸着器５ａの第１熱交換器６ａに供給することにより吸着剤を冷却する。
【００４３】
一方、第２吸着器５ｂの第１熱交換器６ｂには、集熱器２ａにて熱媒体に吸熱された熱を、熱媒体を介して第２吸着器５ｂの吸着剤に供給することより吸着剤を加熱し、吸着剤に吸着していた冷媒を脱離させるとともに、第２吸着器５ｂの第２熱交換器７ｂに室外器８にて冷却された熱媒体を供給し、その脱離した気相冷媒（水蒸気）を第２熱交換器７ｂにて冷却して凝縮させる。
【００４４】
２．非常時バイパスモード（図１参照）
このモードは、何らかの理由によりバルブ９ａ〜９ｄ又はポンプ１０ａ〜１０ｃのいずれかに作動不良が発生したときや吸着器５が何らかの要因で性能が低下して、冷凍機４が実質的に停止したとき又は冷却能力が所定能力以下となった場合に実行されるモードである。
【００４５】
具体的には、バルブ１４ａ〜１４ｄを図１に示すように作動させて、集熱器２ａにて加熱された熱媒体をバイパス回路１６を介して直接に室外機８に導いて、第１発熱体２にて加熱された熱媒体を室外空気にて冷却するとともに、換気扇２１を作動させて携帯電話基地局１内を換気するものである。
【００４６】
なお、冷却システム内の機器に作動不良が発生したときには、電話回線等の通信手段により冷却システムを管理する管理会社等に作動不良が発生した旨が自動的に伝達されるように構成されており、作動不良が発生したときには、サービス員がその作動不良が発生した冷却システムの修理を行う。
【００４７】
３．メンテナンスモード
このモードは、ポンプ１０ａ又はポンプ１０ｃのいずれかを修理又は交換する際の運転モードである。
【００４８】
具体的に、修理対象となるポンプ用の補修用バルブ、つまり修理対象がポンプ１０ａの場合にあっては補修用バルブ２０ａ、修理対象がポンプ１０ｃの場合にあっては補修用バルブ２０ｃを作動させては、ポンプ１０ａ、１０ｃを迂回させて熱媒体を集熱器２ａに循環させるものである。
【００４９】
次に、本実施形態の作用効果を述べる。
【００５０】
本実施形態では、補修用バルブ２０ａ、２０ｃにて熱媒体回路を切り替えることにより、ポンプ１０ａ、１０ｃを冷却用の主熱媒体回路から切り離すことができるので、ポンプ１０ａ又はポンプ１０ｃを修理等している間であっても熱媒体を循環させ続けることができる。
【００５１】
また、特許文献１に記載の発明では、バイパス回路１６を介して第１発熱体２にて加熱された熱媒体を室外機８に循環させる場合には、基本作動モードに稼動するポンプ１０ａ〜１０ｃとは別に設けられた非常用ポンプを用いたが、本実施形態では、基本作動モードに作動するポンプである１０ａ、１０ｃを流用しているので、ポンプの数を減らすことができ、冷却システムの製造原価低減を図ることができる。
【００５２】
また、非常時バイパスモード時において、ポンプ１０ａ、１０ｃが熱媒体の循環回路に対して直列となるように配置されているとともに、各ポンプ１０ａ、１０ｃ毎に補修用バルブ２０ａ、２０ｃを設けているので、非常時バイパスモード時において、２つのポンプ１０ａ、１０ｃのいずれかが故障しても熱媒体を循環させ続けることができ、冷却システムの信頼性をより一層高めることができる。
【００５３】
また、非常時バイパスモード時においては換気扇２１を作動させるので、強制空冷される第２発熱体３の温度が異常上昇してしまうことを抑制でき、冷却システムの信頼性をより一層高めることができる。
【００５４】
なお、本実施形態では、室内熱交換器３ａの温度等から冷凍機４の状態を自動監視し、冷凍機４の能力が低下したときには、自動的に補修用バルブ２０ａ、２０ｃを作動させたが、作動不良が発生した旨が伝達されてサービス員が携帯電話基地局１に到着したときにサービス員が手動操作にて補修用バルブ２０ａ、２０ｃを作動させてもよいことは言うまでもない。
【００５５】
（第２実施形態）
本実施形態は、補修用バルブ２０ａ、２０ｃ等の四方弁及びバルブ１４ａ〜１４ｄ等の三方弁と同等機能を、図４に示すように、複数個の２方弁２２ａ〜２２ｈ、２３ａ〜２３ｆにて実現したものである。
【００５６】
因みに、図４（ｂ）はポンプ１０ａが正常作動しているときのバルブ２３ａ〜２３ｃの作動を示すもので、図４（ｃ）はポンプ１０ａが故障しているときのバルブ２３ａ〜２３ｃの作動を示すものであり、バルブ２３ｄ〜２３ｆの作動もバルブ２３ａ〜２３ｃと同様である。
【００５７】
（第３実施形態）
上述の実施形態では、熱媒体と室外空気とを熱交換して熱媒体を冷却する冷却手段をなす放熱器が１台であったが、本実施形態は、図５、６に示すように、放熱器を２台の放熱器８ａ、８ｂとするとともに、非常時バイパスモード時において、放熱器８ａにて熱媒体を冷却する場合（図５参照）と、放熱器８ｂにて熱媒体を冷却する場合（図６参照）とを切り替え可能とし、放熱器８ａにて熱媒体を冷却する場合にはポンプ１０ｃにて熱媒体を循環させ、放熱器８ｂにて熱媒体を冷却する場合にはポンプ１０ｄにて熱媒体を循環させるものである。
【００５８】
なお、ポンプ１０ｃにて熱媒体を循環させる場合とポンプ１０ｄにて熱媒体を循環させる場合との切り替えは、バルブ２０ａ、２０ｂにて行う。
【００５９】
これにより、例えばポンプ１０ｃが故障したときには、ポンプ１０ｄにて熱媒体を循環させれば、ポンプを修理等している間であっても熱媒体を循環させ続けることができる。
【００６０】
（その他の実施形態）
第１、２実施形態では、ポンプ１０ａ、１０ｃにのみ切替手段をなす補修用バルブ２０ａ、２０ｃを設けたが、本発明は限定されるものではなく、その他のポンプにも切替手段を設けてもよいことは言うまでもない。
【００６１】
また、流路制御用のバルブは、上述の実施形態に示されたものに限定されるものではない。
【００６２】
また、上述の実施形態では、基地局を例に本発明を説明したが、本発明はこれに限定されるものではなく、ビル、地下室、工場、倉庫、住宅、車庫及び車両等の空間内に配設された複数種類の発熱体（例えば、ガスタービンエンジン、ガスエンジン、ディーゼルエンジン、ガソリンエンジン、燃料電池、電子機器、電気機器、電気変換器、蓄電池、動物（人間を含む。）等の冷却に適用することができる。
【００６３】
また、空間は密閉された空間に限定されるものではなく、開空間であってもよい。
【００６４】
また、冷却システムの放熱先（放熱対象、冷凍機４、１１外）は外気（大気）に限定されるものではなく、河川、地下水、土壌、海水、宇宙空間等であってもよい。
【００６５】
また、冷媒は水に限定されるものではなく、アルコール等のその他のものであってもよい。
【００６６】
また、上述の実施形態では吸着剤（吸着媒体）として固体吸着剤を用いたが、本発明はこれに限定されるものではなく、臭化リチウムやアンモニア等の吸収液を含浸させたハイニカム構造状の吸収体を用いてもよい
また、上述の実施形態に示された冷却システムから排出される熱により給湯水を加熱する加熱器、室内に吹き出す空気を加熱する加熱機、又は雪を溶かす融雪加熱器を備える熱管理システムに本発明に係る冷却システムを適用してもよい。
【図面の簡単な説明】
【図１】本発明の第１実施形態に係る冷却システムの模式図である。
【図２】本発明の第１実施形態に係る第１基本作動モードにおける熱媒体流れを示す模式図である。
【図３】本発明の第１実施形態に係る第２基本作動モードにおける熱媒体流れを示す模式図である。
【図４】本発明の第２実施形態に係る冷却システムの模式図である。
【図５】本発明の第３実施形態に係る冷却システムの熱媒体流れを示す模式図である。
【図６】本発明の第３実施形態に係る冷却システムの熱媒体流れを示す模式図である。
【符号の説明】
１…携帯電話基地局、２…第１発熱体、３…第２発熱体、
４…吸着式冷凍機、５…吸着器、６…吸着コア、
７…蒸発／凝縮コア、８…室外器、
１０ａ〜１０ｃ…ポンプ、１６…バイパス回路、
２０ａ、２０ｃ…補修用バルブ。
【図１】
2004205160.tif 000003
【図２】
2004205160.tif 000004
【図３】
2004205160.tif 000005
【図４】
2004205160.tif 000006
【図５】
2004205160.tif 000007
【図６】
2004205160.tif 000008